(57)【要約】【課題】  ネットワークに収容される電子機器で処理されたデータを、異なるネットワークに収容される別の電子機器に転送することを可能にする。【解決手段】  プリンタを収容する第１のネットワークに接続するための第１の接続手段と、パーソナルコンピュータを収容し前記第１のネットワークと異なる第２のネットワークに接続するための第２の接続手段と、プリンタからプリンタ情報を受信する手段と、パーソナルコンピュータに印刷要求を送信する手段と、前記印刷要求に応じてパーソナルコンピュータから送信された機器情報問い合わせを受信する手段と、前記機器情報問い合わせに対して、取得したプリンタ情報をパーソナルコンピュータに送信する手段と、パーソナルコンピュータがプリンタのプリンタ情報に基づいて印刷要求に応じて処理した印刷データを受信する手段と、受信したデータをプリンタへ送信する手段とを備える。【選択図】  図３
2006173901.tif 000002
【特許請求の範囲】
【請求項１】
第１の電子機器を収容する第１のネットワークに接続するための第１の接続手段と、
第２の電子機器を収容し前記第１のネットワークと異なる第２のネットワークに接続するための第２の接続手段と、
前記第１の電子機器から前記第１の電子機器の機器情報を受信する手段と、
前記第２の電子機器に処理要求を送信する手段と、
前記処理要求に応じて前記第２の電子機器から送信された機器情報問い合わせを受信する手段と、
前記機器情報問い合わせに対して、取得した前記第１の電子機器の機器情報を前記第２の電子機器に送信する手段と、
前記第２の電子機器が前記第１の電子機器の機器情報に基づいて前記処理要求に応じて処理したデータを受信する手段と、
受信したデータを前記第１の電子機器へ送信する手段と、
を備える通信端末。
【発明の詳細な説明】
【技術分野】
【０００１】
本発明は、ネットワーク間でのデータ転送を可能にする通信端末に関する。
【背景技術】
【０００２】
従来、携帯通信端末を用いて遠隔のパーソナルコンピュータからデータをダウンロードしたり、遠隔のパーソナルコンピュータから身近なプリンタに印刷を実行させたりするシステムが各種提案されている。その中には、同一ネットワーク上にあるサーバからプリンタへ画像データを送信させるマルチファンクションシステムと共働する携帯端末（例えば、特許文献１参照）や、通信端末が保持するデータのデータ形式を通信端末側で印刷データに変換し、ネットワーク上のサーバを介してプリンタへ送信するリモート印刷システム（例えば、特許文献２参照）などがある。
【０００３】
ところが、特許文献１に開示されたマルチファンクションシステムの場合、送信されるデータのデータ形式が画像データであるため、データ量が大きくて通信負荷が大きくなったり、同容量のデータとした場合には解像度が劣化したりする場合がある。また、特許文献２に開示されたリモート印刷システムでは、アプリケーションの起動やデータ形式の変換など通信端末のデータ処理負荷が大きく、更にアプリケーションや印刷するデータを保持する必要もあり、通信端末の処理能力が低い場合には各処理に時間がかかることがある。
【０００４】
更に、上記従来のシステムでは、例えば、印刷する画像データを保持するサーバまたは通信端末とプリンタとが同一ネットワーク上に存在している場合でないとデータの送信が行えないという制約があった。これは、ＳＭＢ（Server Message Block protocol）やＣＩＦＳ（Common Internet File System）などでは、同一のサブネット内にある機器同士でなければ通信を行えないプロトコルの制約ではあるが、たとえ機密性の低いデータであっても別のネットワークに属するプリンタに画像データを送信することができなかった。
【０００５】
そのため、折角パーソナルコンピュータ等に格納されているファイルを遠隔の携帯端末から操作することができても、外出先などの身近にある別のネットワークに属するプリンタでそのデータを簡単な操作で印刷することができないという不便があった。
【特許文献１】特開２００３−６９７８４号公報（第４−１４頁、第１図）
【特許文献２】特開２００４−５１７８号公報（第５−２２頁、第１図）
【発明の開示】
【発明が解決しようとする課題】
【０００６】
本発明は、上記従来の事情に鑑みてなされたものであって、ネットワークに収容される電子機器で処理されたデータを、異なるネットワークに収容される別の電子機器に転送することを可能にする通信端末を提供することを目的とする。
【課題を解決するための手段】
【０００７】
本発明の通信端末は、第１の電子機器を収容する第１のネットワークに接続するための第１の接続手段と、第２の電子機器を収容し前記第１のネットワークと異なる第２のネットワークに接続するための第２の接続手段と、前記第１の電子機器から前記第１の電子機器の機器情報を受信する手段と、前記第２の電子機器に処理要求を送信する手段と、前記処理要求に応じて前記第２の電子機器から送信された機器情報問い合わせを受信する手段と、前記機器情報問い合わせに対して、取得した前記第１の電子機器の機器情報を前記第２の電子機器に送信する手段と、前記第２の電子機器が前記第１の電子機器の機器情報に基づいて前記処理要求に応じて処理したデータを受信する手段と、受信したデータを前記第１の電子機器へ送信する手段と、を備える。上記構成によれば、通信端末が、第１の電子機器の機器情報を使用することにより、第２の電子機器から見た場合には通信端末が第１の電子機器として扱われることになり、第２の電子機器は通信端末へ処理したデータを送信する為、ネットワークに収容される電子機器で処理されたデータを、通信端末を介して、異なるネットワークに収容される別の電子機器に転送することができる。
【発明の効果】
【０００８】
本発明によれば、ネットワークに収容される電子機器で処理されたデータを、異なるネットワークに収容される別の電子機器に転送することが可能になる。
【発明を実施するための最良の形態】
【０００９】
以下、添付図面を参照しながら本発明の実施形態に係るファイル共有システム及びそれに用いる携帯通信端末について詳細に説明する。
【００１０】
（実施の形態１）
図１は、本発明の実施の形態１におけるファイル共有システムの概略構成を示す図である。ファイル共有システムは、携帯通信端末１００と、携帯通信端末１００と接続可能なネットワーク２００に収容されるプリンタ３００と、通信端末１００と接続可能なネットワーク４００に収容されるパーソナルコンピュータ５００、とで構成される。尚、本実施の形態においては、ネットワーク２００はＷＬＡＮ（無線ＬＡＮ）、ネットワーク４００はＷ−ＣＤＭＡ方式のＦＯＭＡ（登録商標）網で構成する。
【００１１】
プリンタ３００は、ＷＬＡＮ経由で印刷データを受信し、印刷処理を実行する。また、パーソナルコンピュータ５００は、ＦＯＭＡ網及びその他のネットワーク経由で携帯通信端末１００と接続し、ファイルに関する情報を通信する。パーソナルコンピュータ５００には、ＮＦＳ(Network File System)やＳＭＢ(Server Message Block)などのファイルシステムに関するプロトコルが実装されている。また、パーソナルコンピュータ５００には、携帯通信端末１００からの印刷要求を受けて、ファイルに適するアプリケーションを起動して印刷処理を実行させるためのアプリケーションも実装されている。
【００１２】
図２は、本発明の実施の形態１における携帯通信端末の内部構成を示す図である。携帯通信端末１００は、ＷＬＡＮインターフェース部１１０、制御部１２０、ＦＯＭＡインターフェース部１３０で構成される。ＷＬＡＮインターフェース部１１０は、更に、ＷＬＡＮ制御・管理部１１１を含み、制御部１２０は、プリンタ接続制御部１２１、パーソナルコンピュータ接続制御部１２２、印刷制御部１２３、を含む。
【００１３】
ＷＬＡＮインターフェース部１１０は、プリンタ３００を収容するＷＬＡＮ２００に接続するためのインターフェースであり、プリンタ３００と通信を行うためのものである。  ＦＯＭＡインターフェース部１３０は、パーソナルコンピュータ５００を収容するネットワーク（ＦＯＭＡ網を含む）に接続するためのインターフェースであり、パーソナルコンピュータ５００と通信を行うためのものである。制御部１２０は、携帯通信端末１００全体の動作を統括制御するもので、特に、上記の２つの異なるインターフェース間でデータの転送を行う。
【００１４】
制御部１２０のプリンタ接続制御部１２１は、プリンタ３００との接続に関わる制御を行う。また、パーソナルコンピュータ接続制御部１２２は、パーソナルコンピュータ５００との接続に関わる制御を行う。印刷制御部１２３は、プリンタ３００との接続完了後に実行する印刷に関わる制御を行う。尚、上記の制御部１２０各部における制御動作は、図示しないメモリに格納されたプログラムを実行することによりソフトウェア的に実現される。
【００１５】
次に、上記構成のファイル共有システム及びそれに用いる携帯通信端末の印刷動作について説明する。
【００１６】
図３は、本発明の実施の形態１におけるファイル共有システム及びそれに用いる携帯通信端末の印刷動作手順を示すフローチャートである。はじめに、携帯通信端末１００のＷＬＡＮ制御・管理部１１１は、ＷＬＡＮインターフェース部１１０を介して、ＷＬＡＮ上のプリンタ検索を行う（ステップＳ１０１）。携帯通信端末１００が、プリンタ３００からの応答を受信すると（ステップＳ１０２）、プリンタ接続制御部１２１は、同様にＷＬＡＮインターフェース部１１０を介して、接続要求を送信する（ステップＳ１０３）。
【００１７】
プリンタ３００から接続可能である旨を受信すると（ステップＳ１０４）、携帯通信端末１００とプリンタ３００との接続が確立するので、プリンタ接続制御部１２１は、プリンタ３００に対して、機器の種類、状態、利用可能なオプションなどを含む機器情報（プリンタ情報）の問い合わせを行う（ステップＳ１０５）。プリンタ３００は、該当する機器情報を携帯通信端末１００へ送信する（ステップＳ１０６）。携帯通信端末１００は、受信したプリンタ３００の機器情報を蓄積する。
【００１８】
次に、パーソナルコンピュータ接続制御部１２２は、ＦＯＭＡインターフェース部１３０を介して、ＦＯＭＡ網上のパーソナルコンピュータ検索を行う（ステップＳ１０７）。携帯通信端末１００が、パーソナルコンピュータ５００からの応答を受信すると（ステップＳ１０８）、パーソナルコンピュータ接続制御部１２２は、同様にＦＯＭＡインターフェース部１３０を介して、接続要求を送信する（ステップＳ１０９）。
【００１９】
携帯通信端末１００がパーソナルコンピュータ５００から接続可能である旨を受信すると（ステップＳ１１０）、携帯通信端末１００とパーソナルコンピュータ５００との接続が確立するので、パーソナルコンピュータ接続制御部１２２は、パーソナルコンピュータ５００に、パーソナルコンピュータ内のファイル一覧の取得要求を行う（ステップＳ１１１）。パーソナルコンピュータ５００は、ファイル一覧情報を携帯通信端末１００へ送信する（ステップＳ１１２）。尚、携帯通信端末とパーソナルコンピュータの接続においては、接続確立時にパーソナルコンピュータが携帯通信端末の認証を行うようにすることが好ましい。
【００２０】
携帯通信端末１００のユーザーが、受信したファイル一覧情報に基づいて、印刷したいファイルの選択操作を行うと、印刷制御部１２３は、印刷要求をパーソナルコンピュータ５００へ送信する（ステップＳ１１３）。携帯通信端末１００がパーソナルコンピュータから印刷準備可能である旨を受信すると（ステップＳ１１４）、印刷制御部１２３は、印刷プリンタの指定を行う（ステップＳ１１５）。
【００２１】
パーソナルコンピュータ５００からプリンタ情報の送信要求を受信すると（ステップＳ１１６）、印刷制御部１２３は、上記のステップＳ１０６で取得し蓄積していたプリンタ情報をパーソナルコンピュータ５００へ転送する（ステップＳ１１７）。
【００２２】
パーソナルコンピュータ５００は、指定されたファイルに適したアプリケーションを起動し、取得したプリンタ情報に基づいて、当該プリンタに対応する印刷処理を実行する。  生成された印刷データは、携帯通信端末１００へ送信される（ステップＳ１１８）。ところで、印刷処理を実行する時点で、パーソナルコンピュータ５００は、プリンタ情報を転送した携帯通信端末１００を、プリンタ情報に対応するプリンタ３００（即ち、ネットワークの共有プリンタ）であると認識している。具体的には、パーソナルコンピュータ５００からの問い合わせに対して、携帯通信端末１００がプリンタ３００のプリンタ情報を返すことにより、パーソナルコンピュータ５００は、携帯通信端末１００がプリンタ３００であるとして印刷データを生成する。
【００２３】
印刷データを受信した携帯通信端末１００の制御部１２０は、データパケットのアドレスの付け替えなどの転送処理を行って、プリンタ３００のプリンタ情報に基づいて生成された印刷データをプリンタ３００へ転送する（ステップＳ１１９）。プリンタ３００は、受信した印刷データに基づいて印刷処理を行う。尚、パーソナルコンピュータ５００で生成される印刷データは、暗号化してから携帯通信端末１００へ送信し、携帯通信端末１００で復号してからプリンタへ転送されることが好ましい。これによりデータのセキュリティを高めることができる。以上で、一連の印刷動作が終了する。
【００２４】
以上説明したように、本実施形態の携帯通信端末によれば、ＦＯＭＡ網４００を含むネットワークに収容されるパーソナルコンピュータ５００で印刷処理された印刷データを、携帯通信端末１００を介して、異なるネットワークであるＷＬＡＮ２００に収容されるプリンタ３００に転送することができる。したがって、パーソナルコンピュータが有するデータを、携帯通信端末を介して、遠隔地のプリンタに出力させることができる。
【００２５】
尚、上記の印刷動作において、プリンタを検索するステップＳ１０１からステップＳ１０２までの手順は、ＩＰアドレスやマシン名などにより予めプリンタを指定できる場合は省略可能である。同様に、パーソナルコンピュータを検索するステップＳ１０７からステップＳ１０８までの手順も、ＩＰアドレスなどにより予めパーソナルコンピュータを指定できる場合は省略可能である。
【００２６】
（実施の形態２）
図４は、本発明の実施の形態２におけるファイル共有システムの概略構成を示す図である。実施の形態１のシステムと比較して、ＷＬＡＮ２００上に存在する電子機器がプリンタではなく、外部記録装置を含むパーソナルコンピュータ３５０となっている点が異なる。その他の構成及び携帯通信端末１００の内部構成は、実施の形態１のそれと同じであるため説明を省略する。
【００２７】
次に、上記構成のファイル共有システム及びそれに用いる携帯通信端末のファイル変換／転送動作について説明する。
【００２８】
図５は、本発明の実施の形態２におけるファイル共有システム及びそれに用いる携帯通信端末のファイル変換／転送手順を示すフローチャートである。はじめに、携帯通信端末１００のＷＬＡＮ制御・管理部１１１は、ＷＬＡＮインターフェース部１１０を介して、ＷＬＡＮ上のパーソナルコンピュータ検索を行う（ステップＳ２０１）。携帯通信端末１００が、パーソナルコンピュータ３５０からの応答を受信すると（ステップＳ２０２）、パーソナルコンピュータ接続制御部１２２は、同様にＷＬＡＮインターフェース部１１０を介して、接続要求を送信する（ステップＳ２０３）。
【００２９】
パーソナルコンピュータ３５０から接続可能である旨を受信すると（ステップＳ２０４）、携帯通信端末１００とパーソナルコンピュータ３５０との接続が確立するので、パーソナルコンピュータ接続制御部１２２は、パーソナルコンピュータ３５０に対して、機器情報（パーソナルコンピュータ情報）の問い合わせを行う（ステップＳ２０５）。パーソナルコンピュータ３５０は、該当する機器情報を携帯通信端末１００へ送信する（ステップＳ２０６）。
【００３０】
次に、パーソナルコンピュータ接続制御部１２２は、ＦＯＭＡインターフェース部１３０を介して、ＦＯＭＡ網上のパーソナルコンピュータ検索を行う（ステップＳ２０７）。携帯通信端末１００が、パーソナルコンピュータ５００からの応答を受信すると（ステップＳ２０８）、パーソナルコンピュータ接続制御部１２２は、同様にＦＯＭＡインターフェース部１３０を介して、接続要求を送信する（ステップＳ２０９）。
【００３１】
パーソナルコンピュータ５００から接続可能である旨を受信すると（ステップＳ２１０）、携帯通信端末１００とパーソナルコンピュータ５００との接続が確立するので、パーソナルコンピュータ接続制御部１２２は、パーソナルコンピュータ５００に、パーソナルコンピュータ内のファイル一覧の取得要求を行う（ステップＳ２１１）。パーソナルコンピュータ５００は、ファイル一覧情報を携帯通信端末１００へ送信する（ステップＳ２１２）。尚、携帯通信端末とパーソナルコンピュータの接続においては、接続確立時にパーソナルコンピュータが携帯通信端末の認証を行うようにすることが好ましい。
【００３２】
携帯通信端末１００のユーザーが、受信したファイル一覧情報に基づいて、ファイル変換と転送を行いたいファイルの選択操作を行うと、制御部１２０は、ファイル変換要求をパーソナルコンピュータ５００へ送信する（ステップＳ２１３）。パーソナルコンピュータからファイル変換準備可能である旨を受信すると（ステップＳ２１４）、制御部１２０は、転送先となるパーソナルコンピュータの指定を行う（ステップＳ２１５）。
【００３３】
パーソナルコンピュータ５００からパーソナルコンピュータ情報の送信要求を受信すると（ステップＳ２１６）、制御部１２０は、上記のステップＳ２０６で取得したパーソナルコンピュータ情報をパーソナルコンピュータ５００へ転送する（ステップＳ２１７）。
【００３４】
パーソナルコンピュータ５００は、適切なアプリケーションを起動し、指定されたファイルを別途指定されたファイルに変換する。例えば、テキストファイルをＰＤＦファイルに変換する。変換したデータは、パーソナルコンピュータ３５０から取得したパーソナルコンピュータ情報に基づいて、携帯通信端末１００へ送信される（ステップＳ２１８）。  ところで、ファイル変換処理を実行する時点で、パーソナルコンピュータ５００は、パーソナルコンピュータ情報を転送した携帯通信端末１００を、転送したパーソナルコンピュータ情報に対応するパーソナルコンピュータ３５０（即ち、同一ネットワーク上のパーソナルコンピュータ）であると認識している。具体的には、パーソナルコンピュータ５００からの問い合わせに対して、携帯通信端末１００が、パーソナルコンピュータ３５０のパーソナルコンピュータ情報を返すことにより、パーソナルコンピュータ５００は、携帯通信端末１００がパーソナルコンピュータ３５０であるとして変換データの生成を行う。
【００３５】
変換データを受信した携帯通信端末１００の制御部１２０は、データパケットのアドレスの付け替えなどの転送処理を行って、パーソナルコンピュータ３５０のパーソナルコンピュータ情報に基づいて生成された変換データをパーソナルコンピュータ３５０へ転送する（ステップＳ２１９）。パーソナルコンピュータ３５０は受信した変換データを格納する。尚、パーソナルコンピュータ５００でファイル変換されたデータは、暗号化してから携帯通信端末１００へ送信し、携帯通信端末１００で復号してからパーソナルコンピュータ３５０へ転送されることが好ましい。これによりデータのセキュリティを高めることができる。以上で、一連のファイル変換／転送動作が終了する。
【００３６】
以上説明したように、本実施形態の携帯通信端末によれば、ＦＯＭＡ網４００を含むネットワークに収容されるパーソナルコンピュータ５００で変換処理された変換データを、携帯通信端末１００を介して、異なるネットワークであるＷＬＡＮ２００に収容されるパーソナルコンピュータ３５０に転送することができる。したがって、パーソナルコンピュータが有するデータを、携帯通信端末を介して、遠隔地のパーソナルコンピュータで閲覧可能なファイル形式に変換して保存させることができる。
【００３７】
尚、上記のファイル変換／転送動作において、パーソナルコンピュータ３５０を検索するステップＳ２０１からステップＳ２０２までの手順、並びに、パーソナルコンピュータ５００を検索するステップＳ２０７からステップＳ２０８までの手順は、ＩＰアドレスなどにより予めパーソナルコンピュータを指定できる場合は省略可能である。
【００３８】
尚、上記の実施の形態における携帯通信端末は、携帯電話端末に限定されるものではなく、例えば、ＰＤＡ(Personal Digital Assistants)やモバイルコンピュータなどであっても本発明の要旨を実現可能であることは言うまでもない。
【００３９】
また、上記の実施の形態では、プリンタや外部記憶装置を含むパーソナルコンピュータと接続可能なインターフェースとしてＷＬＡＮインターフェースを用いたが、これに限定されるものではなく、例えば、BlueTooth、ＰＤＣ、EthernetやＵＳＢなどの有線接続、等に対応するインターフェースとしてもよい。但し、その場合にはプリンタ並びにパーソナルコンピュータ側にも同様のインターフェースが搭載されている必要がある。
【産業上の利用可能性】
【００４０】
本発明は、ネットワークに収容される電子機器で処理されたデータを、異なるネットワークに収容される別の電子機器に転送することを可能にする効果を有し、ネットワーク間でのデータ転送を可能にする通信端末等に有用である。
【図面の簡単な説明】
【００４１】
【図１】本発明の実施の形態１におけるファイル共有システムの概略構成を示す図
【図２】本発明の実施の形態１における携帯通信端末の内部構成を示す図
【図３】本発明の実施の形態１におけるファイル共有システム及びそれに用いる携帯通信端末の印刷動作手順を示すフローチャート
【図４】本発明の実施の形態２におけるファイル共有システムの概略構成を示す図
【図５】本発明の実施の形態２におけるファイル共有システム及びそれに用いる携帯通信端末のファイル変換／転送手順を示すフローチャート
【符号の説明】
【００４２】
１００  携帯通信端末
１１０  ＷＬＡＮインターフェース部
１１１  ＷＬＡＮ制御・管理部
１２０  制御部
１２１  プリンタ接続制御部
１２２  パーソナルコンピュータ接続制御部
１２３  印刷制御部
１３０  ＦＯＭＡインターフェース部
２００  ＷＬＡＮ
３００  プリンタ
３５０  パーソナルコンピュータ
４００  ＦＯＭＡ網
５００  パーソナルコンピュータ
【図１】
2006173901.tif 000003
【図２】
2006173901.tif 000004
【図３】
2006173901.tif 000005
【図４】
2006173901.tif 000006
【図５】
2006173901.tif 000007